(57)【要約】【課題】短時間で昇温できる加温装置及び岩盤浴装置を提供する。【解決手段】粒径の異なる２種類以上の無機粒子を敷き詰めて無機板材を載せた容器を有し室内で用いる加温装置であって、容器の底部にヒータを有し、容器の下方に粒径の小さい無機粒子を含む第１の層を有し、容器の上方に粒径の大きい無機粒子を含む第２の層を有し、前記ヒータより上方に水噴出手段を有し、前記水噴出手段が、前記第１の層に水分を供給して水蒸気を発生させ、前記第２の層及び前記無機板材を前記水蒸気で昇温させる。【選択図】図１
0003121494.tif 000002
【実用新案登録請求の範囲】
【請求項１】
粒径の異なる２種類以上の無機粒子を敷き詰めて無機板材を載せた容器を有し室内で用いる加温装置であって、容器の底部にヒータを有し、容器の下方に粒径の小さい無機粒子を含む第１の層を有し、容器の上方に粒径の大きい無機粒子を含む第２の層を有し、前記ヒータより上方に水噴出手段を有し、前記水噴出手段が、前記第１の層に水分を供給して水蒸気を発生させ、前記第２の層及び前記無機板材を前記水蒸気で昇温させることを特徴とする加温装置
【請求項２】
さらに、圧縮空気を噴出して室内の温度及び湿度の調節をするエアー吹出手段を含むことを特徴とする請求項１記載の加温装置。
【請求項３】
前記水噴出手段及び前記エアー吹出手段が、（Ａ）水供給装置に接続され複数の孔を有するパイプ及びコンプレッサーに接続され複数の孔を有するパイプ、又は（Ｂ）水供給装置及びコンプレッサーを切換可能に接続した複数の孔を有するパイプであることを特徴とする請求項２に記載の加温装置。
【請求項４】
請求項１〜請求項３のいずれかに記載の加温装置を有することを特徴とする岩盤浴装置。
【考案の詳細な説明】
【技術分野】
【０００１】
本考案は、無機材を用いた屋内における加温装置及び岩盤浴装置に関する。
【背景技術】
【０００２】
コンクリート、石板、玉石、砂利、砂等を含む無機材は、一般に金属材と比べて比熱が大きいため、昇温に時間がかかる。また、一定の温度及び相対湿度を保つのに、温度を上げようとすると相対湿度（以下「相対湿度」を単に「湿度」という。）が低くなり、湿度を高くしようとすると温度が低くなるため、温度だけでなく湿度も上げたい場合は、昇温に時間がかかることになる。
【０００３】
湿り空気は乾燥空気より比熱が大きいので温まりにくいが冷めにくい。屋外で高湿度である場合、自然な湿度を利用し電気ヒータで加熱すれば、一定範囲では比較的早く一定の温度湿度にできる。しかし、屋内の乾燥した場所で、同程度の温度及び湿度に到達するには、加湿も必要であるので、屋外で高湿である場合より長い時間が必要である。水は空気より比熱が大きいからである。
【０００４】
たとえば、岩盤浴においては、岩盤浴装置を一定の温度に保つとともに室内を一定の温度及び湿度に保つ必要がある（例えば、特許文献１参照）。岩盤浴は、溶岩浴、ストーンスパとも呼ばれる。屋内の乾燥した場所で、比熱の大きい無機材を一定温度に昇温して、かつ室内を一定の温度及び湿度まで上げるには、長い時間が必要であった。
【０００５】
【特許文献１】特開２００５−７３８００号公報（０００２段落）
【考案の開示】
【考案が解決しようとする課題】
【０００６】
しかし、従来の加温装置においては、上記したように、一定の温度湿度にするのに長い時間がかかるという問題があった。
【０００７】
本考案は、かかる問題を鑑みてなされたものであり、したがって、本考案の目的は、短時間で昇温できる加温装置及び岩盤浴装置を提供することにある。
【課題を解決するための手段】
【０００８】
本考案の第１の態様は、上記目的を達成するため、粒径の異なる２種類以上の無機粒子を敷き詰めて無機板材を載せた容器を有し室内で用いる加温装置であって、容器の底部にヒータを有し、容器の下方に粒径の小さい無機粒子を含む第１の層を有し、容器の上方に粒径の大きい無機粒子を含む第２の層を有し、前記ヒータより上方に水噴出手段を有し、前記水噴出手段が、前記第１の層に水分を供給して水蒸気を発生させ、前記第２の層及び前記無機板材を前記水蒸気で昇温させることを特徴とする加温装置を提供する。
【０００９】
本考案の第２の態様は、上記目的を達成するため、粒径の異なる２種類以上の無機粒子を敷き詰めて無機板材を載せた容器を有し室内で用いる加温装置であって、容器の底部にヒータを有し、容器の下方に粒径の小さい無機粒子を含む第１の層を有し、容器の上方に粒径の大きい無機粒子を含む第２の層を有し、前記ヒータより上方に水噴出手段を有し、前記水噴出手段が、前記第１の層に水分を供給して水蒸気を発生させ、前記第２の層及び前記無機板材を前記水蒸気で昇温させることを特徴とする加温装置を有することを特徴とする岩盤浴装置を提供する。
【００１０】
また、上記加温装置は、さらに、圧縮空気を噴出して室内の温度及び湿度の調節をするエアー吹出手段を含む構成であってもよい。
【００１１】
また、上記加温装置は、前記水噴出手段及び前記エアー吹出手段が、（Ａ）水供給装置に接続され複数の孔を有するパイプ及びコンプレッサーに接続され複数の孔を有するパイプ、又は（Ｂ）水供給装置及びコンプレッサーを切換可能に接続した複数の孔を有するパイプである構成としてもよい。
【考案の効果】
【００１２】
本考案の加温装置は、上述したとおりであるので、屋内の乾燥した場所で、比熱の大きい無機材を一定温度に昇温することができる。また、短時間で室内を一定の温度及び湿度まで上げることができる。本考案によれば、短時間で昇温できる岩盤浴装置を提供できる。
【考案を実施するための最良の形態】
【００１３】
以下に、添付した図面を参照しながら、本考案の好適な実施例について詳細に説明する。
【００１４】
［第１の実施例］
（構成）
図１は、本考案の加温装置の第１の実施例の構成図である。図１（ａ）は、上面一部切欠図であり、（ｂ）は正面一部切欠図であり、（ｃ）は、右側面一部切欠図である。図１に示した加温装置は、そのまま岩盤浴装置を構成しうる。本実施例の加温装置を有する岩盤浴装置は、図１に示した加温装置の上に直接又はタオル等を敷いて人体を横たわらせて身体を温めることができるものである。加温装置に用いる無機粒子や水の選択により、さまざまな薬効を得ることが可能となる。岩盤浴装置では、室内環境を、温度が４０℃〜４２℃程度、湿度が７０％〜７３％程度に保つことにより、発汗を促進させる。
【００１５】
図１に示した加温装置（１）は、底部に加熱手段としてヒータパイプ（２）を設け、ヒータパイプ（２）の上方に水噴出手段として複数の孔を有する水シャワーパイプ（３）を設け、水シャワーパイプ（３）付近やや上方にエアー吹出手段として複数の孔を有するエアー吹出パイプ（４）を設けた槽（５）を有する。槽（５）内には、下部に砂・小砂利層（９）、上部に玉石・砂利層（８）を有する。玉石・砂利層（８）の上には、石板（６）が敷いてあり、石板（６）は、木枠（７）で囲んである。砂・小砂利層（９）を構成する粒子の粒径は、玉石・砂利層（８）を構成する粒子の粒径より小さい。これらの層を構成する粒子は、ラジウム含有鉱石、トルマリン鉱石、溶岩等の薬石やその他の天然鉱石やその加工品でも、人工セラミックであってもよい。本実施例において、槽（５）は、ステンレス製であるが、これに限られない。
【００１６】
水シャワーパイプ（３）は、水供給装置を付設し、砂・小砂利層（９）上部にあり、砂・小砂利層（９）にパイプの孔から水シャワーを噴霧し、ヒータパイプ（２）により温められた砂・小砂利層（９）に水分を供給して水蒸気を発生させ、玉石・砂利層（８）及び石板（６）を、ヒータパイプ（２）の熱だけでなく、発生させた水蒸気でも昇温させる。温度制御は、噴出させる水量の調節及びヒータに供給する電力の調節により行う。
【００１７】
エアー吹出パイプ（４）は、エアコンプレッサを付設し、圧縮空気を噴出して室内の温度及び湿度の調節をする。温度及び湿度の制御は、吹出させる空気圧の調節、噴出させる水量の調節及びヒータに供給する電力の調節により行う。
【００１８】
本実施例では、玉石・砂利層（８）の下に砂・小砂利層（９）を設け、砂・小砂利層（９）に少量の水を供給して、石を水蒸気で温めることにより、ヒータパイプ（２）のみの加熱に比べ、約１０分の１の時間で設定温度に達することができる。例えば、長さ２０００ｍｍ、幅９００ｍｍ、深さ２００ｍｍの槽で、槽内の石の温度を１０℃から４５℃に昇温するのに従来３日間程度かかっていたものが、本実施例によれば、１０時間程度で昇温できる。
【００１９】
また、本実施例では、水シャワーパイプ（３）から噴出して温められた水蒸気及びヒータパイプ（２）で温められた空気をエアー吹出パイプ（４）から吹出させた空気圧で槽（５）上部に急速で送ることにより、室内の温度と湿度を短時間で調節することができる。
【００２０】
（第１の実施例の効果）
この第１の実施例によれば、屋内の乾燥した場所で、比熱の大きい無機材を一定温度に昇温して、かつ室内を一定の温度及び湿度まで上げることが短時間でできる。したがって、コスト削減及び省エネルギー化を図れる。
【００２１】
［他の実施例］
なお、本考案は、上記各実施例に限定されず、その考案の趣旨を逸脱しない範囲で種々と変形実施が可能である。また、上記実施例の構成要素を考案の趣旨を逸脱しない範囲で任意に組み合わせることができる。当業者であれば、実用新案登録請求の範囲に記載された技術的思想の範疇内において、各種の変更例または修正例に想到し得ることは明らかであり、それらについても当然に本考案の技術的範囲に属するものと了解される。
【００２２】
例えば、上記実施例では、エアー吹出パイプと水シャワーパイプは別々のパイプとしたが、エアー吹出と水シャワーの両方ができるパイプとしてもよい。例えば、パイプの一端がＹ字上になっていて、エアコンプレッサを一端に接続し、もう一端を水供給装置に接続し、どちらを選択するかを切り替えるスイッチ又は電磁弁等の切り替え手段を有し、複数の孔を有するパイプであってもよい。
【００２３】
また、上記実施例では、圧縮空気を噴出して室内の温度及び湿度の調節をするエアー吹出手段を含むものとしたが、これを有しないものであってもよい。この場合、室内の温度及び湿度の調節には時間がかかるが、従来よりは早く、また容器内の無機粒子の昇温スピードは上記実施例と同様に速い。
【００２４】
また、上記実施例では、加温装置を岩盤浴装置に利用したが、石床暖房装置等、さまざまな用途に利用可能である。
【図面の簡単な説明】
【００２５】
【図１】本考案の加温装置の第１の実施例の構成図である。
【符号の説明】
【００２６】
１  加温装置
２  ヒータパイプ
３  水シャワーパイプ
４  エアー吹出パイプ
５  槽
６  石板
７  木枠
８  玉石・砂利層
９  砂・小砂利層
【図１】
0003121494.tif 000003